(57)【要約】【課題】  地震時におけるロックがより確実な地震時ロック装置を提供する。【解決手段】  フレーム３に取り付けられたケーシング１２にラッチ部材１３が設けられ、フレーム３の前方開口部に開閉自在に設けられた開き戸４にブラケット９が設けられ、ラッチ部材１３を地震時にだけブラケット９に対してロックさせるようにした地震時ロック装置において、ブラケット９に一対の被掛止部１１を設け、ラッチ部材１３の前端部に一対の掛止部２０を設け、この一対の掛止部２０を有するラッチ部材１３を、各被掛止部１１にそれぞれ引っ掛かる係合状態と、当該各被掛止部１１から外れる非係合状態とのいずれかに切り換え可能となるように、ケーシング１２に対して前後方向の軸心回りに回動自在に挿通する。【選択図】      図１
2006029043.tif 000002
【特許請求の範囲】
【請求項１】
フレームに取り付けられたケーシングにラッチ部材が設けられ、前記フレームの前方開口部に開閉自在に設けられた開き戸にブラケットが設けられ、前記ラッチ部材を地震時にだけ前記ブラケットに対してロックさせるようにした地震時ロック装置において、
前記ブラケットに一対の被掛止部が設けられ、前記ラッチ部材の前端部に一対の掛止部が設けられ、この一対の掛止部を有するラッチ部材が、前記各被掛止部にそれぞれ引っ掛かる係合状態と、当該各被掛止部から外れる非係合状態とのいずれかに切り換え可能となるように、前記ケーシングに対して前後方向の軸心回りに回動自在に挿通されていることを特徴とする地震時ロック装置。
【請求項２】
フレームに取り付けられるケーシングと、
一対の被掛止部を幅方向両側に有し、かつ、前記フレームの前方開口部に開閉自在に設けられた開き戸に取り付けられるブラケットと、
一対の掛止部を前端部に有し、かつ、その各掛止部が前記各被掛止部にそれぞれ引っ掛かる係合状態と、当該各被掛止部から外れる非係合状態とのいずれかに切り換え可能となるように、前記ケーシングに対して前後方向の軸心回りに回動自在に挿通されたロータリー式のラッチ部材と、
前記開き戸が開状態なると前記ラッチ部材を非係合状態に切り換え、かつ、前記開き戸が閉状態になると前記ロック部材を係合状態に切り換える切り換え手段と、
地震の揺れが発生すると前記ラッチ部材を係合状態に保持するロック手段と、
を備えている地震時ロック装置。
【請求項３】
フレームの前方開口部に開き戸が開閉自在に設けられ、前記フレームに取り付けられたケーシングにラッチ部材が設けられ、前記開き戸にブラケットが設けられ、前記ラッチ部材を地震時にだけ前記ブラケットに対してロックさせるようにした地震時ロック機能を有する収納ボックスにおいて、
前記ブラケットに一対の被掛止部が設けられ、前記ラッチ部材の前端部に一対の掛止部が設けられ、この一対の掛止部を有するラッチ部材が、前記各被掛止部にそれぞれ引っ掛かる係合状態と、当該各被掛止部から外れる非係合状態とのいずれかに切り換え可能となるように、前記ケーシングに対して前後方向の軸心回りに回動自在に挿通されていることを特徴とする地震時ロック機能を有する収納ボックス。
【請求項４】
前方が開口されたフレームと、
このフレームの前方開口部に開閉自在に設けられた開き戸と、
前記フレームに取り付けられたケーシングと、
一対の被掛止部を幅方向両側に有しかつ前記開き戸に取り付けられたブラケットと、
一対の掛止部を前端部に有し、かつ、その各掛止部が前記各被掛止部にそれぞれ引っ掛かる係合状態と、当該各被掛止部から外れる非係合状態とのいずれかに切り換え可能となるように、前記ケーシングに対して前後方向の軸心回りに回動自在に挿通されたロータリー式のラッチ部材と、
前記開き戸が開状態なると前記ラッチ部材を非係合状態に切り換え、かつ、前記開き戸が閉状態になると前記ロック部材を係合状態に切り換える切り換え手段と、
地震の揺れが発生すると前記ラッチ部材を係合状態に保持するロック手段と、
を備えている地震時ロック機能を有する収納ボックス。
【発明の詳細な説明】
【技術分野】
【０００１】  本発明は、地震時ロック装置とこれを有する収納ボックスに関する。
【背景技術】
【０００２】  例えば、食器棚、本棚、タンス、化粧ケース、天袋等の家具に代表されるウィング付きの収納ボックスでは、前面が開放されたボックス本体の開口部に扉（ウィング）が観音開き状に枢着されている。
上記家具に代表されるウィング付きの収納ボックスでは、収納物品の出し入れを頻繁に行うため、一般に施錠装置を設ける場合が少なく、また、施錠装置を設けたとしてもユーザーがこれを余り利用しないことが多い。【０００３】  このため、先の阪神大震災の経験からも判るように、大震度の地震等のため収納ボックスが大きく揺らされると、その揺れによって閉鎖されている扉が開いて食器等の収納物品が外に飛び出し、これによって収納物品が破損したり居住者に当たって負傷することがある。
そこで、フレームの開口部にウィングが開閉自在に枢着され、フレームの開口部内面に、常時はアンロック位置にありかつ振動によりロック位置に移動するラッチ部材が収納されたケーシングが設けられ、ウィングの内面に、ロック位置になったラッチ部材の突出端部が係合するブラケットが設けられ、ウィングの閉鎖方向への移動に伴ってラッチ部材がアンロック位置に戻るようになっている地震時ロック機能を有する収納ボックスが既に提案されている（例えば、特許文献１及び２参照）。【０００４】
【特許文献１】  特開平８−１９９８８６号公報
【特許文献２】  特開平９−２８７３３８号公報
【発明の開示】
【発明が解決しようとする課題】
【０００５】  しかしながら、上記従来の地震時ロック装置及びこれを有する収納ボックスでは、地震時にケーシングから上方又は下方に突出するラッチ部材の突出端部がブラケットに形成された一つの凹部に嵌合する引っ掛け構造になっているので、特に地震の揺れが激しい時にはラッチ部材とブラケットとの係合が外れてしまい、地震時における確実なロックが確保できない恐れがある。
かかる不都合は、特にブラケットがプラスチック等の撓みやすい材料で構成されている場合に著しい。【０００６】  そこで、本発明の課題は、地震時におけるロックがより確実な地震時ロック装置とこれを有する収納ボックスを提供する点にある。
【課題を解決するための手段】
【０００７】  上記課題を達成するために、本発明が講じた解決手段は次の通りである。
すなわち、本発明は、フレームに取り付けられたケーシングにラッチ部材が設けられ、前記フレームの前方開口部に開閉自在に設けられた開き戸にブラケットが設けられ、前記ラッチ部材を地震時にだけ前記ブラケットに対してロックさせるようにした地震時ロック装置において、前記ブラケットに一対の被掛止部が設けられ、前記ラッチ部材の前端部に一対の掛止部が設けられ、この一対の掛止部を有するラッチ部材が、前記各被掛止部にそれぞれ引っ掛かる係合状態と、当該各被掛止部から外れる非係合状態とのいずれかに切り換え可能となるように、前記ケーシングに対して前後方向の軸心回りに回動自在に挿通されていることを特徴とする。【０００８】  この場合、一対の掛止部を有するラッチ部材が、前記各被掛止部にそれぞれ引っ掛かる係合状態と、当該各被掛止部から外れる非係合状態とのいずれかに切り換え可能となるように、前記ケーシングに対して前後方向の軸心回りに回動自在に挿通されているので、地震時のロック状態において、一対の掛止部を有するラッチ部材がブラケットの各被掛止部にそれぞれ引っ掛かる係合状態となり、ラッチ部材の突出端部がブラケットに形成された一つの凹部に嵌合する引っ掛け構造に比べて、ブラケットに対する引っ掛かり度合いが増大する。【０００９】  本発明に係る地震時ロック装置は、次の（ａ）及び（ｂ）のいずれのタイプにも採用することができる。
（ａ）  地震以外の通常時に開き戸の開閉を繰り返す場合には、ラッチ部材がブラケットに接触せず、地震の時だけラッチ部材が突出してブラケットにロックされる非接触タイプ。
（ｂ）  地震以外の通常時に開き戸の開閉を繰り返す場合においても、ラッチ部材がブラケットと係脱を繰り返し、地震の時だけラッチ部材のブラケットに対する係合状態が保持される接触タイプ。【００１０】  そして、本発明に係る地震時ロック装置を上記接触タイプとして採用する場合には、次の各部材を備えた構成にすればよい。
・  フレームに取り付けられるケーシング
・  一対の被掛止部を幅方向両側に有し、かつ、前記フレームの前方開口部に開閉自在に設けられた開き戸に取り付けられるブラケット
・  一対の掛止部を前端部に有し、かつ、その各掛止部が前記各被掛止部にそれぞれ引っ掛かる係合状態と、当該各被掛止部から外れる非係合状態とのいずれかに切り換え可能となるように、前記ケーシングに対して前後方向の軸心回りに回動自在に挿通されたロータリー式のラッチ部材
・  前記開き戸が開状態なると前記ラッチ部材を非係合状態に切り換え、かつ、前記開き戸が閉状態になると前記ラッチ部材を係合状態に切り換える切り換え手段
・  地震の揺れが発生すると前記ラッチ部材を係合状態に保持するロック手段
【発明の効果】
【００１１】  上述の通り、本発明によれば、ラッチ部材の突出端部がブラケットに形成された一つの凹部に嵌合する引っ掛け構造に比べて、ブラケットに対する引っ掛かりが増大するので、地震時におけるロックがより確実になる。
【発明を実施するための最良の形態】
【００１２】  以下、図面に基づいて、本発明の実施の形態を説明する。
図１は、本発明に係る地震時ロック機能を有する収納ボックス１の前端上部を示している。この収納ボックス１は、キッチンの吊り戸棚として使用されるもので、左右一対の側板と天板２及び底板とから方形枠状に組み立てられたボックス本体（フレーム）２と、ボックス本体３の前方開口部に同開口部を開閉自在に閉鎖する左右一対の開き戸４とを備えている。【００１３】  なお、図例では、ボックス本体３の上下開口縁には、開き戸４の内面に当接して同開き戸４をシールするゴム製のシール部材５が設けられているが、このシール部材５は省略することもできる。
左右一対の開き戸４は、その幅方向外側縁がボックス本体３の側板にばね付きの蝶番を介して枢着され、収納ボックス１の内外方向に回動自在ないわゆる観音開き式とされている。蝶番には、開き戸４をボックス本体３の開口部側へ付勢する巻きばねが組み込まれ、この巻きばねにより開き戸４は常に閉鎖方向（図１の右側）に付勢されている。【００１４】  開き戸４を閉鎖方向へ付勢する蝶番としては、上記ばね式のものだけでなく、開き戸４の自重により同開き戸４を閉鎖方向へ移動させるカム式のものを使用することもできる。また、ボックス本体３の開口部内面に周知のマグネットキャッチを取り付け、このマグネットキャッチの磁力で開き戸４の内面に設けた金属板を吸着することにより、開き戸４をボックス本体３側に付勢することもできる。【００１５】  ボックス本体３の天板２には、地震等の揺れによって左右一対の開き戸４が開くのを自動的に阻止する地震時ロック装置７のロック装置本体８が、左右一対の開き戸４に対応して一対取り付けられている。この地震時ロック装置７は、当該ボックス本体３側に取り付けられたロック装置本体８と、開き戸４側に取り付けられたブラケット９とから主構成されている。
このブラケット４０は、開き戸４の内面にねじ止めされる取付板部１０と、この取付板部１０の上下両端部から開き戸４の閉鎖方向に突設された上下一対の被掛止部１１とを一体に備えている。これらの被掛止部１１は、その先端同士が互いに向き合うように側面視ほぼＬ型に形成されている。【００１６】  図１及び図２に示すように、ロック装置本体１は、天板２の前縁部下面（ボックス本体３の開口部の内面）に取り付けられる合成樹脂製のケーシング１２と、このケーシング１２に対して前後方向（図１の左右方向）の軸心回りに回転自在に挿通されたロータリー式のラッチ部材１３と、開き戸４の開閉方向の動きに連動してラッチ部材１３を回転させる切り換え手段１４と、地震の揺れが発生するとラッチ部材１３を係合状態に保持するロック手段１５とを備えている。【００１７】  上記ケーシング１２は、天板２の下面にねじ止めされる断面ほぼ長方形状のケース本体１７と、このケース本体１７の後端壁から後側（図１の右側）に突設された断面ほぼ円形のガイド筒部１８とから構成されている。
ラッチ部材１３は、ケーシング１２の前端壁に回転自在となるように貫通された円筒体よりなる中空筒部１９と、この中空筒部１９の前端に一体に設けられた一対の掛止部２０とからなり、これらの掛止部２０は互いに反対向きの状態で中空筒部１９の径外方向に突設されている。【００１８】  ラッチ部材１３は、中空筒部１９の軸方向中途部に形成された周溝２１をケーシング１２の前端壁の貫通孔に嵌合させることにより、当該ケーシング１２に対して前後方向に移動不能でかつ前後方向の軸心回りに回転自在となるように挿通されている。このため、ラッチ部材１３は、ブラケット９の各被掛止部１１にそれぞれ引っ掛かる係合状態（図１の実線状態）と、その各被掛止部１１から外れる非係合状態（図１の仮想線状態）とのいずれかに切り換え可能となるように、ケーシング１２に設けられている。
ラッチ部材１３の内部には、前記切り換え手段１４の構成要素の一つである切り換えロッド２２が挿通されている。この切り換えロッド２２は、ラッチ部材１３の全長よりも長い棒状部材よりなり、ケーシング１２の中空筒部１９の内部に前後方向に移動自在となるように、同中空筒部１９に対して同軸心状に挿通されている。【００１９】  ケーシング１２のガイド筒部１８の内部は断面六角形状に形成されており、切り換えロッド２２の後端に形成された六角形状の当接板２３が当該ガイド筒部１８内に回り止め状態で挿通されている。このため、切り換えロッド２２は、ケーシング１２に対して前後方向に移動自在でかつ前後方向の軸心回りに回動不能となるように、ラッチ部材１３の内部をその軸心方向に貫通している。
ケーシング１２のケース本体１７内には、切り換えロッド２２の前後方向への移動に伴ってラッチ部材１３を回動させカム機構２５が設けられている。【００２０】  このカム機構２５は、切り換えロッド２２の径外方向に突出するカムピン２６と、ラッチ部材１３の中空筒部１９に形成された螺旋状のカム溝２７とからなり、このカム溝２７内にカムピン２６が挿通されている。
このため、図１に実線で示すように、切り換えロッド２２の前端部がラッチ部材１３の内部に没入すると、一対の掛止部２０が上下方向に向き、ブラケット９の各被掛止部１１に引っ掛かる。他方、図１に仮想線で示すように、切り換えロッド２２の前端部がラッチ部材１３の前端よりも前方に突出すると、一対の掛止部２０が水平方向に向いてブラケット９の各被掛止部１１から外れる。【００２１】  また、前述の通り、開き戸４はばね付き蝶番によって閉鎖方向に付勢されているので、この開き戸４の閉鎖方向への付勢力によって切り換えロッド２２が没入され、これによってラッチ部材１２が係合状態に切り換わるようになっている。
一方、ケーシング１２のガイド筒部１９内には、切り換えロッド２２を突出側に付勢する付勢部材２８が設けられていて、この付勢部材２８は、ガイド筒部１８の後端壁と切り換えロッド２２の当接板２３との間に介在されたコイルばねよりなる。従って、開き戸４がユーザーによって開放されると、切り換えロッド２２の前端部に対する押し付け力がなくなるので、当該付勢部材２８の付勢力によって切り換えロッド２２が前方へ突出し、これによってラッチ部材１３が非係合状態に切り換わるようになっている。【００２２】  従って、本実施形態の地震時ロック装置７では、切り換えロッド２２、カム機構２５及び付勢部材２８により前記切り換え手段１４が構成されており、かかる切り換え手段１４は、開き戸４が開状態になるとラッチ部材１３を非係合状態に切り換え、かつ、開き戸４が閉状態になるとラッチ部材１３を係合状態に切り換える機能を有している。
なお、本実施形態では、掛止部２０の背面側（被掛止部１１と当接する側）に先細り状のテーパー面２９が形成されており、これによって係合状態にあるラッチ部材１３が非係合状態に切り換わり易くなっている。【００２３】  前記ロック手段１５は、ケーシング１２のケース本体１７内に前後方向に転動自在に設けられた転動部材３１と、この転動部材３１の慣性力によって前後に移動するロックスライダ３２とから構成されている。
このうち、転動部材３１は、軸心方向が左右方向（図１の紙面貫通方向）に向くようにケース本体１７内に収納された金属製のころ部材よりなり、このころ部材３１は、ケース本体１７内の左右両壁面に形成された転動段部３３に載置されている。この転動段部３３には、前後方向中央部が同方向両端側よりも若干低くなるように傾斜しており、これにより、ころ部材３１はケース本体１７内の前後方向中央部に位置決めされている。【００２４】  ロックスライダ３２は、ラッチ部材１３の中空筒部１９を取り囲む断面Ｕ字状の部材よりなり、ころ部材３１が収納される収納凹部３４を上端部分に有している。このロックスライダ３２の下端部には、周方向に長い逃げ溝３５（図２及び図３参照）と、この逃げ溝３５の中央部に対して前後両側から連通する一対のロック溝３６が形成されている。また、ラッチ部材１３の中空筒部１９には、上記逃げ溝３５及びロック溝３６のいずれかに嵌合するロック片３７が突設されている。【００２５】  地震等の揺れが発生していない通常時は、転動部材３１とロックスライダ３２がケース本体１７の前後方向中央部に位置決めされており、このときラッチ部材１３のロック片３７は逃げ溝３５内にあるため、ラッチ部材１３は自由に回動することができる。他方、地震等の揺れが発生すると、転動部材２１の転動に伴う慣性力によってロックスライダ３２がケース本体１７の前後方向いずれかに偏り、これによってラッチ部材１３のロック片３７がロック溝３６に嵌合し、ラッチ部材１３の回動が阻止されて同ラッチ部材１３が係合状態に保持されるようになっている。【００２６】  上記構造に係る地震時ロック装置７によれば、地震の揺れ等が発生していない通常時においては、前記ロック手段１５が作動しておらずラッチ部材１３が自由に回動可能になっているので、ラッチ部材１３をブラケット９に対して係合及び離脱させることができ、ユーザーは開き戸４を開閉することができる。
これに対して、地震等の揺れが発生した異常時においては、前記ロック手段１５が作動してラッチ部材１３が係合状態に保持されるので、ラッチ部材１３の掛止部２０がブラケット９の被掛止部１１に引っ掛かって開き戸４の開放が阻止され、その結果、収納ボックス１内の食器等の収納物が外部に飛び出すのが未然に防止される。
なお、地震等の揺れが収まると、ロック手段１５を構成する転動部材３３がケース本体１７の中央部に戻ってラッチ部材１３の回動が再び許容されるので、揺れが収まると同時に開き戸４に対するロックは自動的に解除される。【００２７】  このさい、本実施形態に係る地震時ロック装置７によれば、一対の掛止部２０を有するラッチ部材１３が、各被掛止部１１にそれぞれ引っ掛かる係合状態と、当該各被掛止部１１から外れる非係合状態とのいずれかに切り換え可能となるように、ケーシング１２に対して前後方向の軸心回りに回動自在に挿通されているので、地震時のロック状態において、一対の掛止部２０を有するラッチ部材１３がブラケット９の各被掛止部１１にそれぞれ引っ掛かる係合状態となり、ラッチ部材１３の突出端部がブラケット９に形成された一つの凹部に嵌合する場合に比べて、ブラケット９に対する引っ掛かり度合いが増大し、地震時におけるロックがより確実になる。【００２８】  なお、本発明は上記実施形態に限定されるものではない。
例えば、図示の実施形態では、通常時に開き戸の開閉を繰り返す場合においてもラッチ部材１３がブラケット９と係脱を繰り返す接触タイプの場合を例示しているが、本発明は、地震の時だけラッチ部材１３が突出してブラケット９にロックされる非接触タイプにも採用することができる。
【図面の簡単な説明】
【００２９】
【図１】収納ボックスに取り付けられた地震時ロック装置の側面断面図である。
【図２】同ロック装置の平面断面図である。
【図３】同ロック装置の横断面図である。
【符号の説明】
【００３０】  １      収納ボックス
３      ボックス本体（フレーム）
４      開き戸
７      地震時ロック装置
９      ブラケット
１１      被掛止部
１２      ケーシング
１３      ラッチ部材
１４      切り換え手段
１５      ロック手段
２０      掛止部
【図１】
2006029043.tif 000003
【図２】
2006029043.tif 000004
【図３】
2006029043.tif 000005